(57)【特許請求の範囲】
【請求項１】
弾性部材で構成され計測器の少なくとも一部分を覆うカバー本体を備え、
かつ、このカバー本体の前記計測器と当接される内面、および、この内面とは反対側の外面のうち、少なくとも片方に凹凸が形成され、
前記計測器は、計測値を表示する表示部を備え、前記カバー本体は、前記表示部を露出させるための開口部と、この開口部近傍に設けられ前記開口部に近づくにつれ厚みが薄くなっていく形状のテーパ部とを備え、
前記カバー本体の内面に形成される前記凹凸は、一または複数の排出溝を形成し、かつ、この排出溝の少なくとも一方の端は開放されていることを特徴とする計測器カバー。
【請求項２】
請求項１に記載の計測器カバーにおいて、前記排出溝の両端のうち、他方の端は前記開口部の近傍において閉じられていることを特徴とする計測器カバー。
【請求項３】
弾性部材で構成され計測器の少なくとも一部分を覆うカバー本体を備え、
かつ、このカバー本体の前記計測器と当接される内面、および、この内面とは反対側の外面のうち、少なくとも片方に凹凸が形成され、
前記計測器は、計測値を表示する表示部を備え、前記カバー本体は、前記表示部を露出させるための開口部と、この開口部近傍に設けられ前記開口部に近づくにつれ厚みが薄くなっていく形状のテーパ部とを備え、
前記カバー本体は、前記外面側に成形される外面層と、前記内面側に、前記外面層と一体的に成形される内面層とを備え、
前記外面層は、硬質の弾性部材で構成されるとともに、表面に前記凹凸が形成され、
前記内面層は、軟質の弾性部材で構成されることを特徴とする計測器カバー。
【発明の詳細な説明】
【技術分野】
【０００１】
本発明は、計測器カバーに関する。
【背景技術】
【０００２】
従来、デジタル表示式ノギス（特許文献１参照）が知られている。
これは、一方の測定ジョーを有する本尺と、この本尺に対して移動自在に設けられ前記一方の測定ジョーとともに被測定物の測定部位間に当接される他方の測定ジョーを有するスライダと、このスライダの本尺に対する移動変位量を検出するエンコーダと、その移動変位量をデジタル表示するデジタル表示部とを備える。
【０００３】
【特許文献１】特開平６−３０７８０２号公報（図１）
【発明の開示】
【発明が解決しようとする課題】
【０００４】
しかし、このデジタル表示式ノギスを使用するときに、使用者が誤って落としてしまったり、他の物にぶつけてしまったりすることによって破損し、あるいは、衝撃によってエンコーダやデジタル表示部に不具合が生じ、正確な計測値の検出または読み取りに支障をきたすという問題がある。
【０００５】
本発明の目的は、計測器に取り付けることによって、外部からの衝撃による計測器の破損および不具合が起こるのを防止することができる計測器カバーを提供することである。
【課題を解決するための手段】
【０００６】
本発明の計測器カバーは、弾性部材で構成され計測器の少なくとも一部分を覆うカバー本体を備え、かつ、このカバー本体の前記計測器と当接される内面、および、この内面とは反対側の外面のうち、少なくとも片方に凹凸が形成されることを特徴とする。
【０００７】
この発明の計測器カバーのカバー本体は、計測器を覆い、その内面が計測器と当接される。
カバー本体が弾性部材で構成されているから、計測器カバーが計測器に取り付けられた状態で、使用者が誤って計測器を落としたりした場合であっても、計測器への衝撃は計測器カバーによって緩和される。そのため、計測器の破損および不具合の発生を防止することができる。
さらに、この発明の計測器カバーは、カバー本体の凹凸が形成されている部分において弾性変形しやすくなっている。そのため、外部から衝撃が加わった場合、凹凸部分は衝撃を吸収するように弾性変形され、計測器に加わる衝撃が軽減される。したがって、計測器の破損および不具合はいっそう発生しにくくなる。
【０００８】
また、この発明によれば、計測器に直接手が触れないので、手の熱によって計測器に不具合が生じることも防止できる。カバー本体は計測器を覆っているので、計測器の汚れ等も防止することができる。
【０００９】
本発明では、前記計測器は、計測値を表示する表示部を備え、前記カバー本体は、前記表示部を露出させるための開口部と、この開口部近傍に設けられ前記開口部に近づくにつれ厚みが薄くなっていく形状のテーパ部とを備える構成とする。
【００１０】
この発明では、テーパ部が設けられていることによって、カバー本体の厚みが開口部に近づくにつれて薄くなっていくから、カバー本体の厚みのために、開口部内に露出される表示部の表示値を読み取ることが困難になることはない。
【００１１】
また、本発明では、前記カバー本体の内面に形成される前記凹凸は、一または複数の排出溝を形成し、かつ、この排出溝の少なくとも一方の端は開放されている構成とする。
【００１２】
油や冷却液等が付きやすい状況下で計測器を用いる場合、油や冷却液が、カバー本体の内面と計測器の表面との間に入ってくることがある。しかし、この発明では、その油や冷却液を、カバー本体の内面に形成される排出溝でガイドし、排出溝の開放された端において外に排出させることができる。
【００１３】
特に、計測者が、カバー本体を手で握って計測を行うような場合にあっては、油や冷却液の排出を、よりスムーズに行うことができる。すなわち、手の把持力によって、カバー本体の内面は計測器の表面に押し付けられるので、その間に入り込んだ油や冷却液は、カバー本体の内面に形成される排出溝へ押し出されやすくなる。さらに、カバー本体は弾性部材で構成されるため、排出溝は手の把持力によって圧迫されることにより収縮変形され、油や冷却液が排出溝の開放端から押し出されやすくなる。
【００１４】
また、本発明では、前記排出溝の両端のうち、他方の端は前記開口部の近傍において閉じられている構成が好ましい。
【００１５】
この発明によると、排出溝は開口部近傍の他方の端において閉じられているから、カバー本体の内面と計測器の表面との間に入り込んだ油や冷却液は、開口部から表示部に向かって排出されることがない。そのため、表示部は油や冷却液によって汚されることがないから、表示部に表示される計測値を読み取る上で視認性が阻害されることが少ない。
【００１６】
本発明の計測器カバーは、弾性部材で構成され計測器の少なくとも一部分を覆うカバー本体を備え、かつ、このカバー本体の前記計測器と当接される内面、および、この内面とは反対側の外面のうち、少なくとも片方に凹凸が形成され、前記計測器は、計測値を表示する表示部を備え、前記カバー本体は、前記表示部を露出させるための開口部と、この開口部近傍に設けられ前記開口部に近づくにつれ厚みが薄くなっていく形状のテーパ部とを備え、前記カバー本体は、前記外面側に成形される外面層と、前記内面側に、前記外面層と一体的に成形される内面層とを備え、前記外面層は、硬質の弾性部材で構成されるとともに、表面に前記凹凸が形成され、前記内面層は、軟質の弾性部材で構成されることを特徴とする。
【００１７】
この発明では、前述したカバー本体および凹凸による効果、開口部およびテーパ部による効果が得られるとともに、軟質の弾性部材からなる内面層が、計測器に当接されることとなるので、いっそうの衝撃吸収性が確保できる。
内面層は軟質の弾性部材からなるから、計測器の表面形状に合うように弾性変形することができる。そのため、内面層と計測器とは密着することができるから、その間に油や冷却液が入り込んでくるのを防止できる。 
【００１８】
なお、軟質の弾性部材からなる内面層のみではその形状を保持させるのが困難であるので、硬質の弾性部材からなる外面層が設けられ、内面層を所定形状に保持している。このため、内面層が軟質の弾性部材であることにもとづく前記のような効果を損なうことなく、本発明の計測器カバーを、計測器に対して着脱可能なものとすることができる。すなわち、計測器カバーを計測器から取り外しても、外面層が硬質であるために、計測器カバーは、再び計測器に取り付けられるまでその形状を保持することが可能である。そのため、再取付時に、計測器カバーが変形してしまっていることによる取付上の不都合が生じることがない。
【発明を実施するための最良の形態】
【００２７】
以下、本発明の実施形態を図面に基づいて説明する。
＜第１実施形態＞
図１は、ノギスと、ノギスに取り付けられる本実施形態の計測器カバーとを示す斜視図である。計測器としてのノギスは、本尺４００と、本尺４００の長手方向に沿って摺動可能に設けられたスライダ５００とを備える。
本尺４００は、断面矩形の長尺板状の本尺本体４０１と、本尺本体４０１の一端（図１では左端）に設けられる外側測定ジョー４０２と、内側測定ジョー４０３とを備える。
スライダ５００は、略直方体形状でアクリル樹脂製のスライダ本体５１０と、スライダ本体５１０の一端側（図１では左端側）に設けられ外側測定ジョー４０２と共に被測定物に当接される外側測定ジョー５２０と、内側測定ジョー４０３と共に被測定物に当接される内側測定ジョー５３０と、スライダ本体５１０の側面に設けられ、スライダ５００を本尺４００に対して固定するクランプねじ５４０と、スライダ本体５１０の他端側（図１では右端側）に設けられ、指で押しまわすことによりスライダ５００を本尺４００に対して摺動させる押圧ローラ５５０とを備える。
【００２８】
スライダ本体５１０の内部には、スライダ５００の摺動量に応じた電気信号を出力するエンコーダ（図示せず）が設けられ、スライダ本体５１０の上面には、エンコーダから出力される電気信号をもとに被測定物の直線寸法を算出し、デジタル表示する表示部としてのデジタル表示部５１１と、デジタル表示部５１１の周囲に配置され、エンコーダまたはデジタル表示部５１１等に電力を供給するソーラセル５１２と、デジタル表示部５１１およびソーラセル５１２に上方からかぶせられる透明の保護カバー５１３と、デジタル表示部５１１に表示される寸法の単位の切り替え等を行うためのスイッチ部５１４とが設けられ、スライダ本体５１０の側面には、押圧ローラ５５０の近傍に指掛５１５が設けられる。
【００２９】
計測器カバーは、弾性部材としてのエラストマーによって成形された略直方体形状のキャップ状のカバー本体１００を備える。カバー本体１００は、スライダ本体５１０をその上方から覆うものである。
【００３０】
図２は、カバー本体１００をスライダ本体５１０に被嵌させた状態を示す平面図である。この図に示すように、カバー本体１００の上面には、長方形の開口部１０１と、開口部１０１の図２中下辺近傍に形成されるスイッチ部用開口部１０２と、開口部１０１の左辺においてその一端が開放され、そこからカバー本体１００の表面に沿って左方向に向かって形成される等間隔の複数のカバー表面溝１０３Ａと、各カバー表面溝１０３Ａの間に形成される凸部１０３Ｂと、開口部１０１の右辺においてその一端が開放され、そこからカバー本体１００の表面に沿って右方向に向かって形成される等間隔の複数のカバー表面溝１０４Ａと、各カバー表面溝１０４Ａの間に形成される凸部１０４Ｂとが形成される。
また、カバー本体１００の側面には、指掛５１５を覆うための指掛カバー部１０５が形成される。
【００３１】
開口部１０１は、カバー本体１００をスライダ本体５１０に被嵌させた状態において、デジタル表示部５１１およびソーラセル５１２を、保護カバー５１３を介して露出させるためのものである。そのため、デジタル表示部５１１の計測値を読み取ることができ、また、ソーラセル５１２が外からの光を取り込んで発電することができるようになっている。
スイッチ部用開口部１０２は、計測器カバーを取り付けた状態であってもスイッチ部５１４の操作を可能とするものである。
カバー表面溝１０３Ａおよび凸部１０３Ｂによって凹凸１０３が形成され、また、カバー表面溝１０４Ａおよび凸部１０４Ｂによって凹凸１０４が形成されている。そのため、カバー本体１００の外面に凹凸が形成されていることとなっている。
【００３２】
図３は、カバー本体１００をスライダ本体５１０に被嵌させた状態を示す底面図である。計測器カバーは二つの係止片１０６によってスライダ本体５１０に係止され取り付けられている。
カバー本体１００の内面（スライダ本体５１０と当接される面）には、図３中紙面に垂直な方向に形成される排出溝としての多数のカバー内面溝１０７Ａと、各カバー内面溝１０７Ａの間に形成される凸部１０７Ｂとが形成されている。カバー内面溝１０７Ａと凸部１０７Ｂとによってカバー本体１００の内面に凹凸１０７が多数形成されている。
なお、カバー本体１００には、本尺本体４０１、外側測定ジョー５２０、内側測定ジョー５３０、クランプねじ５４０、および、押圧ローラ５５０を、カバー本体１００の外部に露出させるための複数の切欠１０８が設けられている。
【００３３】
図４に、図２および図３のIV−IV端面図を示す。
この図に示すように、カバー内面溝１０７Ａは、開口部１０１近傍の一端１０９Ａからスライダ本体５１０の表面に沿って、他端１０９Ｂに至るまで形成されている。ここで、一端１０９Ａはカバー本体１００を構成するエラストマーによって閉じられており、他端１０９Ｂは開放されている。そのため、排出溝の両端のうち、一方の端は開放され、他方の端は開口部の近傍において閉じられている。
カバー本体１００の上面には、開口部１０１に沿って形成され開口部１０１に近づくにつれカバーの厚みが薄くなっていく形状のテーパ部１１０と、テーパ部１１０に隣接して形成され図４中上方に向かって突出した形状となっている突出部１１１とが設けられている。
【００３４】
図５に、図２および図３のV−V端面図を示す。
カバー本体１００の内面には、カバー表面溝１０３Ａと交互になるように排出溝としてのカバー内面溝１１２Ａが等間隔に形成され、各カバー内面溝１１２Ａの間には凸部１１２Ｂが、凸部１０３Ｂと交互になるように形成されている。カバー内面溝１１２Ａと凸部１１２Ｂとは、カバー本体１００の内面に凹凸１１２を形成する。
なお、カバー内面溝１１２Ａは、開口部１０１の左辺（図２中）近傍の閉じられた一端（図示せず）からスライダ本体５１０の表面に沿って形成されており、後述するようにカバー内面溝１０７Ａ（図６参照）がこれと連続して形成され、その他端において開放されている。
【００３５】
図６に、図２および図３のVI―VI端面図を示す。
この図において紙面に垂直な方向のカバー内面溝１１２Ａと連続して上下方向の前記カバー内面溝１０７Ａが形成されている。前記の通りカバー内面溝１０７Ａの下端（図６中）は開放されている。そのため、カバー内面溝１１２Ａとカバー内面溝１０７Ａとによって形成される一つの溝は、前記のように、開口部１０１の左辺近傍の一端（図示せず）において閉じられ、他端（カバー内面溝１０７Ａの下端）において開放されている。そのため、排出溝の両端のうち、一方の端は開放され、他方の端は開口部の近傍において閉じられている。
【００３６】
本実施形態によると以下の作用・効果がある。
（１）カバー本体１００はエラストマーによって成形されているから、この計測器カバーがスライダ本体５１０に取り付けられた状態で、使用者が誤ってノギスを落としたりした場合であっても、スライダ本体５１０への衝撃は緩和される。そのため、エンコーダ等が破損し、計測上の不具合が発生することを防止することができる。
【００３７】
（２）カバー本体１００には、凹凸１０３、１０４、１０７および１１２が形成されており、外部から衝撃が加わると、この各凹凸部分が衝撃を吸収するように弾性変形される。そのため、スライダ本体５１０に加わる衝撃はさらに緩和され破損が防止できる。
【００３８】
（３）計測器カバーを用いれば、計測者の手がスライダ本体５１０に直接触れることがなくなるので、手の熱によってエンコーダやデジタル表示部５１１に用いられる電子部品に不具合が生じるのを防ぐことができる。また、カバー本体１００はスライダ本体５１０を覆っているので、スライダ本体５１０の汚れ等も防止することができる。
【００３９】
（４）開口部１０１に沿ってテーパ部１１０が形成されているので、カバー本体１００の厚みのために、デジタル表示部５１１の表示値を読み取る上で視認性が阻害されることが少ない。
【００４０】
（５）カバー本体１００とスライダ本体５１０との間に油や冷却液が入り込んでも、カバー内面溝１０７Ａ、１１２Ａを通じて、それらの開放された端から外へ排出させることができる。
【００４１】
（６）特に、前記各カバー内面溝は、開口部１０１近傍における端が閉じられているので、油や冷却液が開口部１０１の壁面からノギスの保護カバー５１３上に排出されることはない。そのため、油や冷却液によるデジタル表示部５１１の表示値の読取性の悪化や、ソーラセル５１２の発電量の低下が起こらないようにすることができる。
【００４２】
（７）また、ノギスの使用に当たっては、カバー本体１００を手で握って計測を行うことになるが、手の把持力によってカバー本体１００の内面はスライダ本体５１０の表面に押し付けられるので、その間に入り込んだ油や冷却液は、カバー内面溝１０７Ａ、１１２Ａへ押し出されやすくなる。さらに、手の把持力によって、前記各カバー内面溝は、油や冷却液が溝から押し出されるように収縮変形されるため、前記各カバー内面溝の開放端からいっそうスムーズに油または冷却液の排出を行うことができる。
【００４３】
（８）カバー本体１００の表面に凹凸１０３、１０４が形成されているため、手にフィットし、握りやすいから、操作性が向上する。
【００４４】
（９）カバー本体１００の上面に、開口部１０１の左辺、右辺に開放端を有するカバー表面溝１０３Ａ、１０４Ａが形成されているため、ノギスの保護カバー５１３上に付着した油や冷却液は、この各カバー表面溝を通じて保護カバー５１３上から取り除かれる。そのため、油や冷却液によるデジタル表示部５１１の読み取り性の悪化、ソーラセル５１２の発電量の低下を防止することができる。
【００４５】
（１０）カバー本体１００の上面に、突出部１１１が設けられており、その突出形状によってノギスの保護カバー５１３に外部の物がぶつかるのを防止することができる。そのため、保護カバー５１３は傷つきにくくなり、デジタル表示部５１１の読取性の悪化、ソーラセル５１２の発電量の低下を防止することができる。
【００４６】
（１１）計測器カバーは、係止片１０６によって、スライダ本体５１０に取り付けられているので、着脱可能な構成となっている。そのため、計測器カバーが汚れたり破損したりした場合であっても、容易に交換が可能である。
【００４７】
＜第２実施形態＞
続いて、本発明の第２実施形態について説明する。なお、第１実施形態の構成要素に相当する構成要素については、同一符号を付して説明を省略または簡略にする。
【００４８】
図７に、図２のIV-IV相当端面図を、図８に図２のV-V相当端面図を示す。
これらの図に示すように、カバー本体２００は、硬質の弾性部材としての合成樹脂からなりカバー本体２００の外面側に成形される外面層２０１と、軟質の弾性部材としてのシリコーンゴムからなりカバー本体２００の内面側に成形される内面層２０２とが二色成形によって一体的に形成された二層構造となっている。外面層２０１の表面には、凹凸１０３、１０４（図２参照）が形成されている。
また、第１実施形態と異なり、カバー内面溝１０７Ａ、１１２Ａ、および、凸部１０７Ｂ、１１２Ｂに相当するものは形成されていない。そのため、カバー本体２００の内面には凹凸が形成されず、スライダ本体５１０と内面層２０２とは隙間なく密着している。
【００４９】
本実施形態によると、第１実施形態における作用・効果のほかに以下の作用・効果がある。
（１２）軟質のシリコーンゴムからなる内面層２０２がスライダ本体５１０を直接覆うこととなるので、スライダ本体５１０への衝撃をより一層緩和させることが可能となる。
【００５０】
（１３）また、内面層２０２は軟質のシリコーンゴムによって成形されているから、内面層２０２をスライダ本体５１０に対して密着させると、スライダ本体５１０の表面形状にフィットするように弾性変形する。この弾性変形によって内面層２０２とスライダ本体５１０との隙間が埋められるので、油や冷却液の侵入を防止することができる。
【００５１】
（１４）硬質の外面層２０１が、軟質の内面層２０２と密着して一体的に形成されているので、カバー本体２００の形状が崩れることがない。特に、カバー本体２００をスライダ本体５１０から取り外しても、その形状は保持されるから、再び取り付ける上での困難は生じない。従って、計測器カバーはスライダ本体５１０に対して着脱可能であり、汚れたり破損したりしても容易に交換することが可能である。
【００５２】
＜第３実施形態＞
続いて、本発明には含まれないが、関連する技術としての第３実施形態について説明する。なお、第１または第２実施形態の構成要素に相当する構成要素については、同一符号を付して説明を省略または簡略にする。 
【００５３】
図９に、図２のIV-IV相当端面図を、図１０に図２のV-V相当端面図を示す。
カバー本体３００はウレタンからなり、その内面とスライダ本体５１０の表面との間に隙間がないように密着して一体成形されている。つまり、二色成形によってスライダ本体５１０のケースと一体に形成されている。そのため、第２実施形態と同様に、カバー本体３００の内面に凹凸は形成されていない。カバー本体３００の外面には凹凸１０３、１０４（図２参照）が形成されている。また、前記各実施形態と異なり、係止片１０６が設けられておらず、本実施形態ではその代わりに、スライダ本体５１０の底面の周縁部を全体にわたって覆うように形成される底面保護部３０１が設けられている。ここで、カバー本体３００はスライダ本体５１０の底面側において開放されており、この開放部分の周縁に形成されている底面保護部３０１は、スライダ本体５１０の底面の辺縁を覆う本発明の表面保護部を形成している。
【００５４】
本実施形態によると、第１および第２実施形態における作用・効果のほかに以下の作用・効果がある。
（１５）第１および第２実施形態では、係止片１０６によって計測器カバーがスライダ本体５１０に着脱可能に取り付けられることとしていたため、図３に示すように、カバー本体１００（または２００）はスライダ本体５１０の底面を覆うことができず、外部からの衝撃に対して保護することができなかった。しかし、本実施形態では、カバー本体３００はスライダ本体５１０と一体成形され、着脱可能とはしていないから、スライダ本体５１０の底面の周縁部を覆う底面保護部３０１を設けても不都合は生じない。この底面保護部３０１を設けることによって、スライダ本体５１０の底面に加わる衝撃を吸収させることができる。また、スライダ本体５１０の底面以外の面はカバー本体３００によってほとんど覆われているので、底面以外の面においても所期の保護性能が得られる。したがって、スライダ本体５１０に対して加わるいかなる方向からの衝撃も緩和させることが可能となる。
【００５５】
（１６）カバー本体３００はスライダ本体５１０と二色成形によって一体形成されているから、両者の間に隙間は存在せず、油や冷却液が入り込んでくるおそれがなくなる。
【００５６】
＜第４実施形態＞
続いて、本発明には含まれないが、関連する技術としての第４実施形態について説明する。なお、前記各実施形態の構成要素に相当する構成要素については、同一符号を付して説明を省略または簡略にする。
【００５７】
図１１に、図２のIV-IV相当端面図を、図１２に図２のV-V相当端面図を示す。
乾燥させると弾性を帯びるウレタン系塗料の塗布によって形成される塗膜３５０は、計測器本体の一部分としてのスライダ本体５１０のケース表面に略一定の厚みで形成されており、前記各実施形態とは異なり、テーパ部１１０、突出部１１１に相当するものは形成されていない。なお、スライダ本体５１０のケースは合成樹脂等の弾性部材からなる。
また、図１２に示されるように、スライダ本体５１０のケース上面には凹凸５１６が形成されている。塗膜３５０は、凹凸５１６の形状に沿って形成されているため凹凸形状となっており、塗膜３５０の表面には凹凸１０３が形成されていることとなる。
【００５８】
本実施形態によると、前記各実施形態における作用・効果のほかに以下の作用・効果がある。
（１７）スライダ本体５１０のケース上面に凹凸５１６が形成され、さらにその上に、表面に凹凸１０３を有する塗膜３５０が形成されている。スライダ本体５１０のケース、および、塗膜３５０はいずれも弾性を備えているから、外部からの衝撃に対して凹凸５１６および凹凸１０３において弾性変形をすることができ、そのため、衝撃を吸収し緩和することができる。
【００５９】
（１８）スライダ本体５１０のケース表面と塗膜３５０との間には隙間が存在しないから、油や冷却液が入り込むおそれがなくなる。
【００６０】
（１９）前記各実施形態においては、カバー本体の開口部１０１近傍にテーパ部１１０を設けることによって、カバー本体の厚みのためにデジタル表示部５１１の視認性が阻害されることのないようにしていたが、本実施形態では、スライダ本体５１０のケース表面に沿って塗膜３５０を形成させており、その厚みは、前記各実施形態におけるカバー本体の厚みよりも薄くできる。そのため、塗膜３５０の厚みによってデジタル表示部５１１の視認性が阻害されるということはなくなり、使い勝手がよい。
【００６１】
なお、本発明は前述の実施形態に限定されるものではなく、本発明の目的を達成できる範囲での変形、改良等は本発明に含まれるものである。
前記各実施形態の計測器カバーは、ノギスのスライダ本体のカバーとしていたが、本発明の計測器カバーは、図１１に示すようにマイクロメータのフレームカバー（カバー本体６００）としても利用できるし、図１２に示すようにダイヤルゲージのケース本体カバー（カバー本体７００）としても利用できる。その他にも、インジケータのケース本体カバー、腕時計の衝撃吸収機能付きのベゼルとしても利用することができる。
【００６２】
第３または第４実施形態では、底面保護部３０１がスライダ本体５１０の底面の周縁部を全周にわたって覆うように形成されているので、計測器カバーはスライダ本体５１０に対して着脱可能ではなくなる。
しかし、計測器カバーを二分割構造にした場合や、スライダ本体５１０の底面の周縁部を全周にわたって覆うのではなく、部分的に覆うように底面保護部３０１を形成した場合などには、計測器カバーをスライダ本体５１０に対して着脱可能とすることが可能となる。
例えば、底面保護部３０１を形成する部分を、スライダ本体５１０の底面の周縁部のうち互いに平行な二辺部分のみにすれば、この二辺に平行な方向にスライダ本体５１０をスライドさせる等の操作により計測器カバーを着脱可能にできる。また、計測器カバーが弾力性のある材料で構成されていれば、各底面保護部３０１を手操作で押し広げてスライダ本体５１０に対して着脱することも容易である。
【００６３】
第３または第４実施形態では、スライダ本体５１０の底面に対して底面保護部３０１を形成していたが、スライダ本体５１０の他の表面に対して表面保護部を形成してもよい。
【００６４】
カバー本体１００、２００または３００を形成する弾性部材の材料としては、前記各実施形態に挙げたものに限られず、例えば、エンジニアリングプラスチック、アルミニウム合金等の軽量金属、木材を適宜選択することができる。
【産業上の利用可能性】
【００６５】
本発明は、種々の計測器、例えば、ノギス、マイクロメータ、ダイヤルゲージ、インジケータ、腕時計のカバーとして利用することができる。
【図面の簡単な説明】
【００６６】
【図１】ノギスと、ノギスに取り付けられる本発明の第１実施形態にかかる計測器カバーとを示す斜視図。
【図２】第１実施形態の計測器カバーのカバー本体をスライダ本体に被嵌させた状態を示す平面図
【図３】第１実施形態の計測器カバーのカバー本体をスライダ本体に被嵌させた状態を示す底面図。
【図４】第１実施形態における、図２および図３のIV-IV端面を示す図。
【図５】第１実施形態における、図２および図３のV-V端面を示す図。
【図６】第１実施形態における、図２および図３のVI-VI端面を示す図。
【図７】第２実施形態における、図２のIV-IV相当端面を示す図。
【図８】第２実施形態における、図２のV-V相当端面を示す図。
【図９】第３実施形態における、図２のIV-IV相当端面を示す図。
【図１０】第３実施形態における、図２のV-V相当端面を示す図。
【図１１】第４実施形態における、図２のIV-IV相当端面を示す図
【図１２】第４実施形態における、図２のV-V相当端面を示す図。
【図１３】本発明の計測器カバーを、マイクロメータのフレームカバーとして利用した例を示す図。
【図１４】本発明の計測器カバーを、ダイヤルゲージのケース本体カバーとして利用した例を示す図。
【符号の説明】
【００６７】
１００、２００、３００…カバー本体
１０１…開口部
１０３、１０４…凹凸
１０６…係止片
１０７Ａ、１１２Ａ…カバー内面溝
１０７、１１２…凹凸
１１０…テーパ部
２０１…外面層
２０２…内面層
３０１…底面保護部
３５０…塗膜
５１０…スライダ本体
５１１…デジタル表示部
５１６…凹凸
【図１】
0004630674.tif 000002
【図２】
0004630674.tif 000003
【図３】
0004630674.tif 000004
【図４】
0004630674.tif 000005
【図５】
0004630674.tif 000006
【図６】
0004630674.tif 000007
【図７】
0004630674.tif 000008
【図８】
0004630674.tif 000009
【図９】
0004630674.tif 000010
【図１０】
0004630674.tif 000011
【図１１】
0004630674.tif 000012
【図１２】
0004630674.tif 000013
【図１３】
0004630674.tif 000014
【図１４】
0004630674.tif 000015